(57)【要約】【課題】高度化するクリーン度を満たすために、洗浄・滅菌時に互いに連通状態で連結される一対のカプラをより確実に目標とする装着形態に維持できるようにしたカプラ保持装置を提供する。【解決手段】相手部材への着脱用のスライド部を備え、透析時には透析器に接続され、洗浄・滅菌時には互いに連通状態で連結される一対のカプラを、該連結状態で保持するカプラ保持装置において、カプラのスライド部のスライド方向への動きを抑制する抑制機構を備えたことを特徴とする血液透析装置におけるカプラ保持装置。【選択図】図３
2010263999.tif 000002
【特許請求の範囲】
【請求項１】
相手部材への着脱用のスライド部を備え、透析時には透析器に接続され、洗浄・滅菌時には互いに連通状態で連結される一対のカプラを、該連結状態で保持する血液透析装置におけるカプラ保持装置において、前記カプラのスライド部のスライド方向への動きを抑制する抑制機構を備えたことを特徴とする血液透析装置におけるカプラ保持装置。
【請求項２】
前記カプラのカプラ保持装置への設置を検知可能なスイッチが、カプラ保持装置に対して設けられている、請求項１に記載の血液透析装置におけるカプラ保持装置。
【請求項３】
前記抑制機構が前記スライド部の両側に配置されている、請求項１または２に記載の血液透析装置におけるカプラ保持装置。
【請求項４】
前記抑制機構が、前記スライド部のスライド方向に対し垂直の方向に延びる規制面を有している、請求項１〜３のいずれかに記載の血液透析装置におけるカプラ保持装置。
【請求項５】
前記一対のカプラが、洗浄・滅菌時には、両カプラ間に介在される連結具を介して互いに連通状態で連結される、請求項１〜４のいずれかに記載の血液透析装置におけるカプラ保持装置。
【請求項６】
前記一対のカプラが、洗浄・滅菌時には、互いに連通状態で直接連結される、請求項１〜４のいずれかに記載の血液透析装置におけるカプラ保持装置。
【請求項７】
前記カプラ内の接液部がシリコン系材料で形成されている、請求項１〜６のいずれかに記載の血液透析装置におけるカプラ保持装置。
【発明の詳細な説明】
【技術分野】
【０００１】
本発明は、血液透析装置におけるカプラ保持装置に関し、とくに、保持装置にカプラを確実にかつ所定の形態に安定して保持できるようにした、血液透析装置におけるカプラ保持装置の構造に関する。
【背景技術】
【０００２】
血液透析装置として、たとえば特許文献１の図１に記載されているような装置が知られている。血液透析には、透析膜を内蔵した透析器（ダイアライザー）が用いられ、この透析器は、通常、透析液を供給、排出する透析液供給・排出部を備えた血液透析装置本体に対して交換自在に設けられ、透析液供給・排出部から透析器へのチューブの接続部には、ワンタッチで着脱可能なカプラを設けることが多い。
【０００３】
このような血液透析装置においては、通常、透析待機中、あるいは透析者毎に透析器を交換する際に、透析液給排路の洗浄が行われる。たとえば透析器から取り外した一対のカプラを、互いに連通状態で連結具（バイパスコネクタ、短絡プラグとも言う。）の入口側、出口側にそれぞれ接続し、形成されたバイパス流路に洗浄液、たとえば、次亜鉛素酸ナトリウム溶液等の消毒液を流して透析液流路を洗浄・滅菌することが行われている。
【０００４】
上記のようなカプラは、たとえば図４に示すように構成されている。図４に示す例においては、カプラ１１は、相手部材としてのバイパスコネクタ１２に対し、Ｏリング１３等を介してシールされる構造となっており、かつ、カプラボール１４を、スプリング１５で付勢されたスライド部１６を移動させることにより、バイパスコネクタ１２に対し着脱できる構造となっている。洗浄・滅菌時には、バイパスコネクタ１２の両側に一対のカプラ１１が装着され（図４には一方側のみ示されている）、一対のカプラ１１の連結により形成されたバイパス流路に洗浄液が流される。
【０００５】
このような状態で洗浄・滅菌を行う際には、たとえば血液透析装置本体上に設置されたカプラ保持装置（カプラホルダとも言う。）に、一対のカプラ１１を所定形態でバイパスコネクタ１２の両端に連結した状態で保持させ、その状態で内部流路、つまり上記バイパス流路に洗浄液を流して洗浄・滅菌を行うようにしている（たとえば、特許文献２）。なお、このような内部流路に洗浄液を流して洗浄・滅菌を行う方式に加え、カプラ１１部分やバイパスコネクタ１２を洗浄液に浸漬し、超音波印加等を加えて洗浄・滅菌するようにした方式も知られている（たとえば、前記特許文献１）。
【先行技術文献】
【特許文献】
【０００６】
【特許文献１】特開平１１−５３６号公報
【特許文献２】実公昭６３−４８２７８号公報
【発明の概要】
【発明が解決しようとする課題】
【０００７】
近年、血液透析装置における洗浄・滅菌には、とくに着脱を前提とした上記のようなカプラ部分には、ますます高度なクリーン度が要求されるようになってきた。洗浄液に浸漬させずに、カプラ保持装置にカプラを保持させた状態で洗浄・滅菌する方式では、浸漬・洗浄装置が不要であるため装置全体の簡素化ははかれるものの、カプラが所定の形態に保持されない状態が生じると、とくにカプラが所定の装着形態からずれたり、カプラが外れたりすると、上記のような高度なクリーン度を満たすことが困難になる。また、このような状態になると、洗浄液が外部に漏れたりする不具合の生じるおそれもあり、カプラ部分の内部が露出すると、内部の汚染が生じるおそれもある。このような状態になると、結局、正規の透析のための準備操作を最初からやり直す必要が生じ、多数の患者が存在する場合には治療に支障を来すことにもなる。
【０００８】
ところが、従来のカプラ保持装置では、単にカプラを保持するか、あるいは、高々カプラ全体を所定の位置に保持する機能しか有していないため、カプラの所定の装着形態からのずれやカプラの外れを確実に防止できる保証に乏しいおそれがあった。したがって、ますます高度化するクリーン度の要求に確実に対応できないおそれがあった。
【０００９】
そこで本発明の課題は、上記のようなますます高度化するクリーン度の要求に、より確実に対応できるようにするために、洗浄・滅菌時に互いに連通状態で連結される一対のカプラをより確実に目標とする装着形態に維持できるようにした、血液透析装置におけるカプラ保持装置を提供することにある。
【課題を解決するための手段】
【００１０】
上記課題を解決するために、本発明に係る血液透析装置におけるカプラ保持装置は、相手部材への着脱用のスライド部を備え、透析時には透析器に接続され、洗浄・滅菌時には互いに連通状態で連結される一対のカプラを、該連結状態で保持する血液透析装置におけるカプラ保持装置において、前記カプラのスライド部のスライド方向への動きを抑制する抑制機構を備えたことを特徴とするものからなる。
【００１１】
上記本発明に係るカプラ保持装置においては、上記抑制機構により、カプラのスライド部のスライド方向への動きが抑制されるので、好ましくはスライド部のスライド方向への動きが完全に規制されるので、カプラ全体に対するスライド部の位置は所定の連結完了状態の位置に維持されることになり、予期しないスライド部のずれやそれに伴って発生するおそれのあるカプラの外れは確実に防止される。したがって、一対のカプラは所定の連通、連結状態のままに保たれ、望ましい状態での洗浄液流通による洗浄・滅菌が可能になり、高度なクリーン度を満たすことが可能になる。
【００１２】
このような本発明に係るカプラ保持装置においては、上記カプラのカプラ保持装置への設置を検知可能なスイッチが、カプラ保持装置に対して設けられていることが好ましい。このような検知スイッチを設けておくと、カプラがカプラ保持装置に設置されているときには、その設置を検知して現在洗浄・滅菌モードにあることが認識でき、カプラがカプラ保持装置に設置されていないときには、それを検知して現在洗浄・滅菌モードにはなく、カプラを透析器に接続して透析モードにすることが可能な状態であることを認識できる。したがって、このスイッチによる検知に基づいて、透析モード、洗浄・滅菌モード間の確実な切替が可能になり、透析モード時に洗浄・滅菌モード用の誤動作が生じたり、洗浄・滅菌モード時に透析モード用の誤動作が生じたりする不具合の発生が確実に防止されることになる。また、本発明では、カプラがカプラ保持装置に設置されているときには、カプラは上述の如く所定の望ましい状態に維持されるので、このカプラ設置状態における上記スイッチによる検知も確実に行われることになる。
【００１３】
また、上記抑制機構が上記スライド部の両側に配置されていることが好ましい。このようにすれば、スライド部は両側から抑制機構により移動が規制されることになり、より確実にスライド部は所定の位置に維持されることになる。
【００１４】
上記抑制機構の具体的な構造は、スライド部のスライド方向への動きを抑制できる限りとくに限定されないが、抑制機構が、スライド部のスライド方向に対し垂直の方向に延びる規制面を有していることが好ましい。このような規制面をスライド部に対して所定の位置関係にて形成しておくことにより、極めて容易にスライド部のスライド方向への動きを規制できる。
【００１５】
また、上記一対のカプラは、洗浄・滅菌時において、両カプラ間に介在される連結具（つまり、前述のようなバイパスコネクタ等からなる連結具）を介して互いに連通状態で連結されるように構成することもできるし、このような連結具を用いることなく、一対のカプラが、洗浄・滅菌時には、互いに連通状態で直接連結されるように構成することも可能である。
【００１６】
さらに本発明においては、高い要求クリーン度を達成するために、上記カプラ内の接液部がシリコン系材料で形成されていることが好ましい。接液部がシリコン系材料で形成されていると、接液面が劣化しにくいとともに接液面に汚れや異物が付着しにくく、付着した場合にもシリコン系材料の優れた離型性により、洗浄液の流通によって除去されやすくなる。したがって、この構成により洗浄・滅菌時にクリーン度をより高めることが可能になり、高められたクリーン度は、透析時にも有効に作用することとなる。
【発明の効果】
【００１７】
このように、本発明に係る血液透析装置におけるカプラ保持装置によれば、カプラのスライド部のスライド方向への動きが抑制する抑制機構を設けることにより、カプラ保持装置に設置されたカプラのスライド部の位置を所定の連結完了状態の位置のままに良好に維持でき、予期しないスライド部のずれやそれに伴って発生するおそれのあるカプラの外れ等の不具合の発生を確実に防止できる。その結果、一対のカプラを望ましい所定の連通、連結状態に維持したまま洗浄液流通による洗浄・滅菌を確実に行うことができ、高度なクリーン度を満たすことが可能になる。
【図面の簡単な説明】
【００１８】
【図１】本発明の一実施態様に係る血液透析装置の全体斜視図（図１（Ａ））およびその装置に付設されたカプラ保持装置部分の拡大正面図（図１（Ｂ））である。
【図２】図１のカプラ保持装置部分をカプラを設置していない状態にてさらに拡大表示した正面図（図２（Ａ））およびカプラを設置した状態でのカプラ保持装置中央部分における横断面図（図２（Ｂ））である。
【図３】図２（Ａ）のカプラ保持装置にカプラを設置した状態を示す正面図（図３（Ａ））および図３（Ａ）の右半分を断面表示した部分断面図（図３（Ｂ））である。
【図４】カプラの構造の一例を示す断面図である。
【発明を実施するための形態】
【００１９】
以下に、本発明の望ましい実施の形態を、図面を参照して説明する。
図１は、本発明の一実施態様に係る血液透析装置（図１（Ａ））およびその装置に付設されたカプラ保持装置部分（図１（Ｂ））を示している。図１において、１は血液透析装置全体を示しており、血液透析装置本体２の前面の一部に、本発明におけるカプラ保持装置３が設けられている。このカプラ保持装置３に、洗浄・滅菌時に互いに連通状態で連結される、図４に示したのと同等の構造（つまり、相手部材への着脱用のスライド部５を備えた構造）を有する一対のカプラ４が設置され、一対のカプラ４は、図示例では、両カプラ４間に介在され連結具６を介して互いに連通状態で連結されている。
【００２０】
上記カプラ保持装置３部分の詳細を図２、図３に示す。図２（Ａ）は、カプラ保持装置３部分のカプラ４を設置していない状態を示しており、図２（Ｂ）は、カプラ４を設置した状態でのカプラ保持装置３の中央部分における横断面を示している。図３（Ａ）は、カプラ保持装置３にカプラ４を設置した状態を示しており、図３（Ｂ）は、その状態の右半分を断面表示した部分断面図を示している。
【００２１】
図２、図３に示すように、カプラ保持装置３は、カプラ４のスライド部５のスライド方向（図３の矢印方向）への動きを抑制する抑制機構７を備えており、本実施態様では、抑制機構７は、一対のカプラ４のそれぞれのスライド部５の両側に配置された規制部７ａ、７ｂを有する機構に構成されている。各規制部７ａ、７ｂは、スライド部５のスライド方向に対し垂直の方向に延びる規制面８ａ、８ｂを有しており、これら規制面８ａ、８ｂにより、所定状態に設置、保持されている各カプラ４のスライド部５のスライド方向への動きが規制されるようになっている。
【００２２】
カプラ保持装置３部分には、カプラ４のカプラ保持装置３への設置を検知可能なスイッチ９が、カプラ保持装置３に対して設けられている。本実施態様では、スイッチ９は、連結具６の設置の有無を検知できるように構成、設置されており、連結具６の設置の検知を介して、その両端に連結される一対のカプラ４の設置を検知できるようになっている。カプラ４のカプラ保持装置３への設置を検知することにより、現在洗浄・滅菌モードの状態にあることを判断でき、カプラ４のカプラ保持装置３への設置が検知されない場合には、カプラ４を透析器に接続して透析モードにすることが可能な状態であると判断できるようになっている。つまり、このスイッチ９による検知に基づいて、透析モード、洗浄・滅菌モード間の確実な切替が可能となっている。
【００２３】
なお、図示されていないが、本実施態様では、カプラ４内の接液部がシリコン系材料で構成されており、このような材料で接液面を形成することにより、前述したような作用、効果、とくに優れたクリーン度向上効果が得られる。また、上記実施態様では、一対のカプラ４を連結具６を介して互いに連通状態で連結したが、連結具６を介さずに、一対のカプラ４同士を直接連通状態で連結する構成を採用することも可能である。
【００２４】
上記実施態様に係るカプラ保持装置３においては、一対のカプラ４が連結具６を介して互いに連通状態で連結され、その状態にてカプラ４がカプラ保持装置３に保持される。カプラ保持装置３に保持されたカプラ４は、そのスライド部５のスライド方向への動きが抑制機構７によって抑制される。とくに上記実施態様では、スライド部５のスライド方向両方向への動きが規制部７ａ、７ｂの規制面８ａ、８ｂによって規制されるので、カプラ４は確実に目標とする所定の設置状態にそのまま安定して維持されることになる。したがって、一対のカプラ４は確実に所定の連通、連結状態のままに保たれ、望ましい状態での洗浄液流通による洗浄・滅菌が可能になって、近年の高度なクリーン度を満たすことが可能になる。
【産業上の利用可能性】
【００２５】
本発明は、カプラとカプラ保持装置を備えたあらゆる血液透析装置に適用することが可能である。
【符号の説明】
【００２６】
１  血液透析装置
２  血液透析装置本体
３  カプラ保持装置
４  カプラ
５  スライド部
６  連結具
７  抑制機構
７ａ、７ｂ  規制部
８ａ、８ｂ  規制面
９  スイッチ
【図１】
2010263999.tif 000003
【図２】
2010263999.tif 000004
【図３】
2010263999.tif 000005
【図４】
2010263999.tif 000006